(57)【要約】【課題】デシカント調湿機を住宅の天井裏等にも納まる小さい寸法にできると共に運転音も小さくできる住宅の換気システムを提供することを課題とする。【解決手段】屋内の空気を屋外に排気して換気する換気装置Ａと、屋外の空気を屋内に給気すると共に屋内の空気を屋外に排気するときデシカント材１にて給排気の湿気の交換をして屋内への給気を除湿または加湿または除湿及び加湿をするデシカント調湿機Ｂとを住宅２に具備する。前記デシカント調湿機Ｂの屋外への排気部と前記換気装置Ａの排気部とを連通させて前記換気装置Ａの排気手段で前記デシカント調湿機Ｂの排気を行うようにする。【選択図】        図１
2005291559.tif 000002
【特許請求の範囲】
【請求項１】
屋内の空気を屋外に排気して換気する換気装置と、屋外の空気を屋内に給気すると共に屋内の空気を屋外に排気するときデシカント材にて給排気の湿気の交換をして屋内への給気を除湿または加湿または除湿及び加湿をするデシカント調湿機とを住宅に具備し、前記デシカント調湿機の屋外への排気部と前記換気装置の排気部とを連通させて前記換気装置の排気手段で前記デシカント調湿機の排気を行うようにしたことを特徴とする住宅の換気システム。
【請求項２】
前記換気装置は常時換気を行う常時換気装置であることを特徴とする請求項１記載の住宅の換気システム。
【請求項３】
前記換気装置はトイレまたは脱衣室または浴室のうち少なくともいずれか１つの換気を行うものであることを特徴とする請求項１または請求項２記載の住宅の換気システム。
【請求項４】
浴室暖房乾燥機にトイレまたは脱衣室または浴室のうち少なくともいずれか１つの常時換気を行う機能を持たせた常時換気機能付浴室暖房乾燥機と、屋外の空気を屋内に給気すると共に屋内の空気を屋外に排気するときデシカント材にて給排気の湿気の交換をして屋内への給気を除湿または加湿または除湿及び加湿をするデシカント調湿機とを住宅に具備し、前記デシカント調湿機の屋外への排気部と前記常時換気機能付浴室暖房乾燥機とを連通させて常時換気機能付浴室暖房乾燥機の排気手段でデシカント調湿機の排気を行うようにしたことを特徴とする住宅の換気システム。
【請求項５】
トイレまたは脱衣室または浴室のうち少なくとも１つの空気を前記換気装置にて強モードで換気するときデシカント調湿機からの排気量を減らすか遮断することを特徴とする請求項１乃至請求項４のいずれかに記載の住宅の換気システム。
【発明の詳細な説明】
【技術分野】
【０００１】
本発明は、一般の住宅で換気する換気システムに関し、詳しくはデシカント調湿機を設備することで屋内に取り入れる空気を除湿したり加湿したりする機能も備えた換気システムに関するものである。
【背景技術】
【０００２】
近年、建築基準法の改正により、戸建、集合住宅を問わず、常時換気（２４時間換気と称されるもので、単位時間当たりに屋内の容積に応じた所定量の換気を行う）する常時換気設備が必須になった。その中で高機能な常時換気設備には全熱交換器や顕熱交換器が存在している。また高機能な常時換気設備してデシカントの技術を利用し、換気だけでなく、除湿や加湿が可能なデシカント調湿機を用いることも考えられる（デシカント調湿機で換気するものとしては例えば、特許文献１、特許文献２、特許文献３、特許文献４参照）。
【特許文献１】特開２０００−１１１０９６号公報
【特許文献２】特開２００３−２９４２６７号公報
【特許文献３】特開２００３−７４９０６号公報
【特許文献４】特開２００２−２２２４１号公報
【発明の開示】
【発明が解決しようとする課題】
【０００３】
ところで、デシカント調湿機の構成としては、現状の全熱交換器若しくは顕熱交換器に加えて、デシカント材及び温水や電気の加熱手段が配置されており、換気により屋外から引き込まれる空気と、屋内から排出される空気との間で湿度のやり取りを行い、除湿若しくは、加湿若しくはその両方を行う構成となっている。このためデシカント調湿機は、単なる全熱交換器や顕熱交換器に比べると、デシカント材の圧損や空気の流れ方向の変換により機器内部の圧損が増加する。従って、このデシカント調湿機で常時換気をしようとした場合、同じ換気風量であると単なる全熱交換器などに比べてファンの能力を上げる必要やファンの運転音が上がってしまうという問題がある。また同風量の全熱交換器などと比べると、デシカント材や加熱装置が内蔵される分、機器寸法が大きくなってしまうという問題がある。デシカント技術は、通常のエアコンでは不可能な湿度処理を実現することが可能であり、室内の快適性を高めることが可能な技術であるが、住宅に設ける常時換気装置としては運転音が小さく、機器寸法が小さい方が好ましいために、現行では特に寸法がデシカント調湿機の技術を利用するための大きな壁となっている。
【０００４】
本発明は上記の従来の問題点に鑑みて発明したものであって、デシカント調湿機を住宅の天井裏等にも納まる小さい寸法にできると共に運転音も小さくできる住宅の換気システムを提供することを課題とする。
【課題を解決するための手段】
【０００５】
上記課題を解決するために本発明の請求項１の住宅の換気システムは、屋内の空気を屋外に排気して換気する換気装置Ａと、屋外の空気を屋内に給気すると共に屋内の空気を屋外に排気するときデシカント材１にて給排気の湿気の交換をして屋内への給気を除湿または加湿または除湿及び加湿をするデシカント調湿機Ｂとを住宅２に具備し、前記デシカント調湿機Ｂの屋外への排気部と前記換気装置Ａの排気部とを連通させて前記換気装置Ａの排気手段で前記デシカント調湿機Ｂの排気を行うようにしたことを特徴とする。
【０００６】
上記構成によれば、換気装置Ａにて換気するとき換気装置Ａの排気手段を兼用してデシカント調湿機Ｂの排気ができる。これによりデシカント調湿機Ｂにファンのような排気手段が不用になるか設けても小さくできてデシカント調湿機Ｂを小型にできて住宅の天井裏にも納まる寸法にできる。また換気装置Ａでも換気することにより圧損の大きいデシカント調湿機Ｂのファン能力若しくは風量を少なくでき、運転音を小さくできる。またデシカント調湿機Ｂから屋外に排出する排気はデシカント調湿機Ｂとは異なる換気装置Ａから排出するためにデシカント調湿機Ｂに設けるこの排気のための接続口３とデシカント調湿機Ｂに屋外の空気を取り入れための接続口４を同一の面に設ける必要がなく、デシカント調湿機Ｂに設ける接続口３，４，５，６の位置を自由に決めることができる。このためデシカント調湿機Ｂの内部の構造も自由度が増し、寸法を小さくする工夫ができるようになる。
【０００７】
また本発明の請求項２の住宅の換気システムは、請求項１において、前記換気装置Ａは常時換気を行う常時換気装置であることを特徴とする。この場合、常時換気して建築基準法に定められた換気ができると共にデシカント調湿機Ｂで除湿や加湿ができる。住宅全体としては、給気及び排気を強制的に行う、所謂第１種換気ができるようになる。
【０００８】
また本発明の請求項３の住宅の換気システムは、請求項１または請求項２において、前記換気装置Ａはトイレ８または脱衣室９または浴室１０のうち少なくとも１つの換気を行うものであることを特徴とする。この場合、トイレ８または脱衣室９または浴室１０のうち少なくとも１つから空気を換気装置Ａにて外部に排気するように換気しながら換気装置Ａの排気手段にてデシカント調湿機Ｂから排気するために住宅に必須な換気装置Ａを用いながら、且つデシカント調湿機Ｂのデシカント材１に臭いが吸着されることなく、快適な換気ができる。
【０００９】
また本発明の請求項４の住宅の換気システムは、浴室暖房乾燥機にトイレ８または脱衣室９または浴室１０のうち少なくとも１つの常時換気を行う機能を持たせた常時換気機能付浴室暖房乾燥機１１と、屋外の空気を屋内に給気すると共に屋内の空気を屋外に排気するときデシカント材１にて給排気の湿気の交換をして屋内への給気を除湿または加湿または除湿及び加湿をするデシカント調湿機Ｂとを住宅２に具備し、前記デシカント調湿機Ｂの屋外への排気部と前記常時換気機能付浴室暖房乾燥機１１とを連通させて常時換気機能付浴室暖房乾燥機１１の排気手段でデシカント調湿機Ｂの排気を行うようにしたことを特徴とする。なお、上記浴室暖房乾燥機とは、浴室１０内の乾燥と暖房と換気を行うもの、浴室１０内の乾燥と換気を行うもの、浴室１０内の暖房と換気を行うもの、浴室内の暖房だけを行うものを含む。
【００１０】
上記構成によれば、常時換気機能付浴室暖房乾燥機１１にて常時換気するとき常時換気機能付浴室暖房乾燥機１１の排気手段を兼用してデシカント調湿機Ｂの排気ができる。これによりデシカント調湿機Ｂにファンのような排気手段が不用になるか設けても小さくできてデシカント調湿機Ｂを小型にできて住宅の天井裏にも納まる寸法にできる。また常時換気機能付浴室暖房乾燥機１１でも換気することにより圧損の大きいデシカント調湿機Ｂの排気風量を少なくでき、運転音を小さくできる。またデシカント調湿機Ｂから屋外に排出する排気はデシカント調湿機Ｂとは異なる常時換気機能付浴室暖房乾燥機１１から排出するためにデシカント調湿機Ｂに設けるこの排気のための接続口３とデシカント調湿機Ｂに屋外の空気を取り入れための接続口４を同一の面に設ける必要がなく、デシカント調湿機Ｂに設ける接続口３，４，５，６の位置を自由に決めることができる。このためデシカント調湿機Ｂの内部の構造も自由度が増し、寸法を小さくする工夫ができるようになる。また建築基準法で定められた常時換気ができると共に屋内に取り入れる空気の除湿や加湿ができる。住宅全体としては、給気及び排気を強制的に行う、所謂第１種換気ができるようになる。またトイレ８または脱衣室９または浴室１０のうち少なくとも１つから空気を常時換気機能付浴室暖房乾燥機１１にて外部に排気するように換気しながら常時換気機能付浴室暖房乾燥機１１の排気手段にてデシカント調湿機Ｂから排気するためにデシカント調湿機Ｂのデシカント材１に臭いが吸着されることなく、快適な換気ができる。さらに常時換気機能付浴室暖房乾燥機１１とデシカント調湿機Ｂとを別々に設けてダクトで配管するものに比べてダクトの本数を減らせると共に住宅２の壁等の内外の貫通部を減らすことができ、自然給気口のような部品点数を削減できると共に施工を簡単にてコストダウンが図れる。
【００１１】
また本発明の請求項５の住宅の換気システムは、請求項１乃至請求項４のいずれにおいて、トイレ８または脱衣室９または浴室１０のうち少なくとも１つの空気を前記換気装置Ａにて強モードで換気するときデシカント調湿機Ｂからの排気量を減らすか遮断することを特徴とする。この場合、デシカント調湿機Ｂから換気装置Ａの排気手段で排気するものでも、トイレ８または脱衣室９または浴室１０のうち少なくとも１つから局所的に強制排気するとき所定の排気量が得られその機能が損なわれない。
【発明の効果】
【００１２】
本発明は叙述の如く構成されているので、換気装置にて換気するとき換気装置の排気手段を兼用してデシカント調湿機の排気ができるものであって、デシカント調湿機にファンのような排気手段が不用になるか設けても小さくできてデシカント調湿機を小型にできて住宅の天井裏にも納まる寸法にできるという効果があり、また換気装置でも換気することにより圧損の大きいデシカント調湿機の風量を少なくでき、運転音を小さくできるという効果があり、またデシカント調湿機から屋外に排出する排気はデシカント調湿機とは異なる換気装置から排出するためにデシカント調湿機に設けるこの排気のための接続口とデシカント調湿機に屋外の空気を取り入れための接続口を同一の面に設ける必要がなく、デシカント調湿機に設ける接続口の位置を自由に決めることができ、デシカント調湿機の内部の構造も自由度が増し、寸法を小さくする工夫ができるようになるという効果がある。
【００１３】
また換気装置は常時換気することにより建築基準法で定められた換気ができると共にデシカント調湿機で屋内への給気の除湿や加湿ができるという効果があり、住宅全体では給気及び排気を強制的に行う、所謂第１種換気ができるようになる。また換気装置はトイレまたは脱衣室または浴室の換気を行うものであることにより、トイレまたは脱衣室または浴室から空気を換気装置にて外部に排気するように換気しながら換気装置の排気手段にてデシカント調湿機から排気するためにデシカント調湿機のデシカント材に臭いが吸着されることなく、快適な換気ができるという効果があり、またトイレまたは脱衣室または浴室の空気を換気装置にて強モードで換気するときデシカント調湿機からの排気量を減らすか遮断することによりデシカント調湿機から換気装置の排気手段で排気するものでも、トイレまたは脱衣室または浴室から局所的に強制排気するときその機能が損なわれないという効果がある。また常時換気機能付浴室暖房乾燥機を換気装置とすることでも常時換気機能付浴室暖房乾燥機の機能を有効に利用して換気できるという効果がある。
【発明を実施するための最良の形態】
【００１４】
以下、本発明を添付図面に示す実施形態に基いて説明する。図１は集合住宅のような住宅２であり、住宅２の適所で天井裏にはデシカント調湿機Ｂを設置してある。このデシカント調湿機Ｂは屋内からの戻り空気ＲＡを取り入れてこの空気をデシカント調湿機Ｂのデシカント材１に通してデシカント調湿機Ｂから排気ＥＡを屋外に排出し、一方屋外の外気ＯＡをデシカント調湿機Ｂに取り入れてこの空気をデシカント調湿機Ｂのデシカント材１に通してデシカント調湿機Ｂから給気ＳＡを屋内に取り入れるようになっており、デシカント材１にて湿度の交換をして給気ＳＡを除湿したり加湿したりできるようになっている。このデシカント調湿機Ｂには排気ＥＡ用の接続口３と、外気ＯＡ用の接続口４と戻り空気ＲＡ用の接続口５と、給気ＳＡ用の接続口６とを設けてあり、接続口３は排気用ダクト１３にて屋外と連通させてあり、接続口４は外気用ダクト１４を介して屋外と連通させてあり、接続口５は戻り空気用ダクト１５を介して屋内と連通させてあり、接続口６は給気用ダクト１６を介して屋内と連通させてある。
【００１５】
またこの住宅２にはデシカント調湿機Ｂ以外に、換気装置Ａを配置してあるが、本例の場合、この換気装置Ａとして常時換気機能付浴室暖房乾燥機１１を浴室１０の天井部に設置してある。この常時換気機能付浴室暖房乾燥機１１は浴屋１０内の乾燥や暖房や換気を行う浴室暖房乾燥機にトイレ８、脱衣室９、浴室１０の常時換気を行う機能を持たせて形成してある。またトイレ８内の空気を吸い込むためにトイレ８の天井部にトイレ用吸い込み口７を設けてあり、トイレ用吸い込み口７と浴室暖房乾燥機とを吸い込みダクト１７にて連通させたある。また脱衣室８内の空気を吸い込むために脱衣室８の天井部に脱衣室用吸い込み口１８を設けてあり、脱衣室用吸い込み口１８と浴室暖房乾燥機とを吸い込みダクト１９にて連通させてある。この常時換気機能付浴室暖房乾燥機１１は屋内から空気を吸い込んで排気するためのファンのような排気手段を設けてあるが、本発明では常時換気機能付浴室暖房乾燥機１１の排気手段を利用してデシカント調湿機Ｂの排気ＥＡを排出するようになっており、デシカント調湿機Ｂの接続口３と常時換気機能付浴室暖房乾燥機１１とを連通ダクト２０にて連通させてある。また常時換気機能付浴室暖房乾燥機１１から排気を屋外に排出するため常時換気機能付浴室暖房乾燥機１１と屋外を屋外連通用ダクト２１にて連通させてある。本発明の場合、連通ダクト２０及び屋外連通用ダクト２１が上記デシカント調湿機Ｂの排気用ダクト１３を兼用している。なお、本例の場合、換気装置Ａとして常時換気機能付浴室暖房乾燥機１１の例で述べるが、この換気装置Ａは単に屋内の空気を屋外に排出するように換気するだけのものであっても、全熱交換や顕熱交換するだけで換気するものであってもよい。また常時換気機能付浴室暖房乾燥機１１の強モード排気運転の信号を検知し、デシカント調湿機Ｂからの連通ダクト２０を通過する排気量を減らすか遮断できるようになっているのも好ましい。
【００１６】
ところで、デシカント調湿機Ｂは現状では業務用に用いられることが殆どであり、図４に示すような構造になっている。このデシカント調湿機Ｂには低速で回転するデシカントロータと称されるデシカント材１と給気ファン２３と排気ファン２４と温水や電気で加熱する加熱装置としてのヒータ２５とを内装してある。このデシカント調湿機Ｂで給気ファン２３及び排気ファン２４を駆動し、ヒータ２５のうちヒータ２５ａにて加熱すると、戻り空気ＲＡがヒータ２５ａにて加熱され、加熱されて戻り空気ＲＡがデシカント材１を通過することでデシカント材１から放湿され、デシカント材１を通過した排気ＥＡが屋外に排出され、一方、外気ＯＡが放湿されたデシカント材１を通過することで除湿され、除湿された給気ＳＡが屋内に供給される。またこのデシカント調湿機Ｂで給気ファン２３及び排気ファン２４を駆動し、ヒータ２５のうちヒータ２５ｂにて加熱すると、戻り空気ＲＡがデシカント材１１を通過することでデシカント材１に吸湿され、デシカント材１を通過した排気ＥＡが屋外に排出され、一方、外気ＯＡがヒータ２５ｂで加熱され、加熱された外気ＯＡがデシカント材１を通過することでデシカント材１からの放湿で加湿され、加湿された給気ＳＡが屋内に供給される。このように図４に示すデシカント調湿機Ｂが構成されるが、このデシカント調湿機Ｂは機器の高さＨが高くなり、一般の住宅２の天井裏には設置できない。
【００１７】
この高さＨが高くなる問題を解決して一般の住宅２でも設置できるように考えたのが図５に示すものである。この場合、デシカント材１を横向きに設置してある。またこのデシカント調湿機Ｂは加湿用であり、また全熱交換器２６または顕熱交換器も内蔵している。このデシカント調湿機Ｂで給気ファン２３及び排気ファン２４を駆動し、ヒータ２５にて加熱すると、戻り空気ＲＡがデシカント材１１を通過することでデシカント材１に吸湿され、デシカント材１を通過した排気ＥＡが全熱交換器２６を通って屋外に排出され、一方、外気ＯＡが全熱交換器２６にて熱交換することにより排気ＥＡから得た熱で加熱され、この空気がヒータ２５でさらに加熱され、加熱された外気ＯＡがデシカント材１を通過することでデシカント材１からの放湿で加湿され、加湿された給気ＳＡが屋内に供給される。かかるデシカント調湿機Ｂは高さＨが低くて一般の住宅２の天井裏に納まる高さにできるが、横幅Ｗが長くなってしまうという問題が発生し、天井裏の狭い空間には設置できないという新たな問題が生じる。これは除湿用のデシカント調湿機Ｂ若しくは除湿及び加湿用のデシカント調湿機Ｂでも同様である。
【００１８】
そこで本発明ではデシカント調湿機Ｂから排気ＥＡを排出するとき、デシカント調湿機Ｂとは異なる換気装置Ａとしての常時換気機能付浴室暖房乾燥機１１のファンのような排気手段で排気ＥＡを屋外に排出できるようになっている。これによりデシカント調湿機Ｂに設ける排気ファン２４のような排気手段を無くすか、設けても小型にできる。これによりデシカント調湿機Ｂの横幅Ｗも小さくしてデシカント調整機Ｂを小型にでき、一般の住宅２の天井裏にも設置できるようになる。
【００１９】
排気ファン２４のような排気手段をなくして小型にしたデシカント調湿機Ｂを図２に示す（これも加湿用のものを示す）。このようにするとデシカント調湿機Ｂの高さＨを低くできると共に横幅Ｗを小さくできる。このデシカント調湿機Ｂの給気ファン２３を駆動すると共にヒータ２５で加熱し、常時換気機能付浴室暖房乾燥機１１で常時換気すると、戻り空気ＲＡがデシカント材１を通過することでデシカント材１に吸湿され、デシカント材１を通過した排気ＥＡが全熱交換器２６を通って屋外に排出され、一方、外気ＯＡが全熱交換器２６にて熱交換することにより排気ＥＡから得た熱で加熱され、この空気がヒータ２５でさらに加熱され、加熱された外気ＯＡがデシカント材１を通過することでデシカント材１からの放湿で加湿され、加湿された給気ＳＡが屋内に供給される。
【００２０】
また常時換気機能付浴室暖房乾燥機１１で換気すると共にデシカント調湿機Ｂを通して換気することより建築基準法で定められた風量の換気ができ、圧損の大きいデシカント調湿機Ｂの排気風量を少なくでき、運転音を小さくできる。またデシカント調湿機Ｂを運転することで屋外から屋内に外気を導入することができるので、屋内に給気するための給気口部材２２の数を減らす若しくは無くすことができる。
【００２１】
また従来のデシカント調湿機Ｂの場合、建築上の制約やダクトの引き回しのために外気ＯＡ用の接続口４と排気ＥＡ用の接続口３とを同じ面に設け、戻り空気ＲＡ用の接続口５と給気ＳＡ用の接続口６とを同じ面に設ける必要があった。つまり、接続口４と接続口３とは屋外と連通させる必要があるために同じ側に設けて外壁に貫通させるようにダクトを配管する必要がある。ところが本発明の場合、常時換気機能付浴室暖房乾燥機１１の排気手段で排気する構造のために接続口３は接続口４と同じ面にする必要がなく、接続口３，４，５，６の位置が自由に決められる。これによってデシカント調湿機Ｂの内部の構造の自由度が増し、デシカント調湿機Ｂの寸法を小さくする工夫ができるようになった。図３は接続口３，４，５，６の位置を変え、デシカント材１やヒータ２５や全熱交換器２６や給気ファン２３の位置を変えたものである。これによりデシカント調湿機Ｂの横幅Ｗをより小さくできてデシカント調湿機Ｂの小型化を図ることができる。
【００２２】
また常時換気機能付浴室暖房乾燥機１１でデシカント調湿機Ｂの排気ＥＡを排出するため、連通ダクト２０及び屋外連通用ダクト２１が上記デシカント調湿機Ｂの排気用ダクト１３を兼用することができるようになり、常時換気機能付浴室暖房乾燥機１１とデシカント調湿機Ｂを関連性なく設置するのに比べて大幅にダクトや屋内外貫通部を減らすことができる。これにより施工に要する部材点数を削減することができると共に施工を容易にできてコストダウンが図れる。
【００２３】
またデシカント材１は水分を吸着するため、物理的に水溶性の臭い（アンモニアなど）を取り込むことがわかっている。このための、デシカント材１が吸着すると、特に加湿使用の際、デシカント材１から湿気と一緒に水溶性の臭いを排出する懸念があり、トイレ８や脱衣室９や浴室１０などのダーティーゾーンといわれる居室以外の空気をどのように排気するかがポイントとなる。ところが、本発明の換気システムではトイレ８や脱衣室９や浴室１０などの空気を常時換気機能付浴室暖房乾燥機１１にて直接吸い込んで排出するようになっていると共に常時換気機能付浴室暖房乾燥機１１の排気手段でデシカント調湿機Ｂの排気ＥＡを排出するようになっており、デシカント調湿機Ｂへのダーティーゾーンからの戻り空気の量が減り、デシカント材１への臭いの吸着が減る効果が期待できる。
【００２４】
また浴室１０やトイレ８や脱衣室９など使用後に強モートで換気（常時換気以上の風量で排気する）する時、デシカント調湿機Ｂからの排気ＥＡの量をデシカント調湿機Ｂに内蔵したダンパーなどで減らすか遮断することで、デシカント調湿機Ｂから常時換気機能付浴室暖房乾燥機１１の排気手段で排気するものでも、トイレ８、脱衣室９、浴室１０から局所的に強制排気するときその機能が損なわれなく、常時換気機能付浴室暖房乾燥機１１の機能を保つことができる。つまり、浴室１０やトイレ８や脱衣室９の強制排気の際は、局所排気の風量を増やす必要があるが常時換気機能付浴室暖房乾燥機１１では強制排気時に信号を出すため、その信号をデシカント調湿機Ｂ側で検知し、デシカント調湿機Ｂのダンパーなどを閉じることで戻り空気ＲＡの取り込みを減らすか若しくはゼロにして、排気したい箇所の排気風量の割合を増やすことができる。このときにも、住宅２全体として十分な換気量を保つことができ、常時換気システムとしての機能が失われることがない。このときも、外気ＯＡ⇒給気ＳＡの経路のファンが動作しているために屋内が大幅に負圧になることが防がれる。
【図面の簡単な説明】
【００２５】
【図１】本発明の住宅の換気システムの実施の形態の一例を示す斜視図である。
【図２】同上のデシカント調湿機の一例を示し、（ａ）は正面から見た概略断面図、（ｂ）は平面から見た概略断面図である。
【図３】同上のデシカント調湿機の他の例を示し、（ａ）は正面から見た概略断面図、（ｂ）は平面から見た概略断面図である。
【図４】業務用のデシカント調湿機の正面から見た断面図である。
【図５】一般の住宅に合せて薄型にしたデシカント調湿機を示し、（ａ）は正面から見た概略断面図、（ｂ）は平面から見た概略断面図である。
【符号の説明】
【００２６】
Ａ  換気装置
Ｂ  デシカント調湿機  
１  デシカント材
２  住宅
３  接続口
４  接続口
５  接続口
６  接続口  
８  トイレ
９  脱衣室
１０  浴室
１１  常時換気機能付浴室暖房乾燥機
【図１】
2005291559.tif 000003
【図２】
2005291559.tif 000004
【図３】
2005291559.tif 000005
【図４】
2005291559.tif 000006
【図５】
2005291559.tif 000007